(57)【要約】【課題】ごみ袋の開口上端を確実に係止でき、搬送、収納が容易で、分別回収に加えて一般回収にも使用可能な汎用性に優れたダストボックスがない。【解決手段】  ダストボックス１０はその構成部材を底枠２０、２つの側面枠３０、背面枠４０、前面枠５０の４つに分割し、これらを係止、連結して組立てられる。背面枠４０の中央部を折曲げて折曲げ部４２の左右の肩部４２ａがごみ袋の係止部となる。前面枠５０は２つの枠体を備え、各枠体は、押込み方向への回動を規制されて側面枠３０の前面の脚部３２ａ２に回動可能に挿着され、その肩部５２ｂがごみ袋の係止部となる。分別回収では、ごみ袋１２の開口上端は、背面枠４０の肩部４２ａ、枠体５０の上の肩部５２ｂ、側面枠３０の前後の脚部３２ａ１、３２ａ２の上端の４点に係止、装着され、一般回収では、左右の側面枠３０の前後の脚部３２ａ１、３２ａ２の上端の４点に係止、装着される。【選択図】図２
2006062830.tif 000002
【特許請求の範囲】
【請求項１】
装着されるごみ袋の支持面となる底面を持つ略矩形形状の底枠と、その下端が底枠に係止される２つの脚部と脚部の上端を連結する連結部とを備えた２つの略逆Ｕ字形状の側面枠と、その左右の端が側面枠の後の脚部の上端にそれぞれ係止される略逆Ｕ字形状の背面枠と、側面枠の前の脚部の上端に係止される前面枠とを具備して構成され、
背面枠の中央部を下方に折曲げて、ごみ袋の係止部となる肩部を折曲げ部の左右端に成形し、
前面枠が２つの枠体を備え、各枠体は、押込み方向への回動を規制されて前後方向に回動可能に係止されたダストボックス。
【請求項２】
装着されるごみ袋の支持面となる底面を持つ略矩形形状の底枠と、その下端が底枠に係止される２つの脚部と脚部の上端を連結する連結部とを備えた２つの略逆Ｕ字形状の側面枠と、その左右の端が側面枠の連結部の後端にそれぞれ係止される略逆Ｕ字形状の背面枠と、側面枠の前の脚部の上端、連結部の前端のいずれかに係止される前面枠とを具備して構成され、
背面枠の中央部を下方に折曲げて、ごみ袋の係止部となる肩部を折曲げ部の左右端に成形し、
前面枠が２つの枠体を備え、各枠体は、押込み方向への回動を規制されて前後方向に回動可能に係止されたダストボックス。
【請求項３】
前面枠は略矩形形状の４つの辺のうち、１辺の一部を切り欠いた形状とされ、切欠き辺の上下の端が、側面枠の前の脚部の上端に設けられた支持筒に上下から係止されて各枠体が支持筒に回動可能に挟持された請求項１，２記載のダストボックス。  
【請求項４】
前面枠の枠体の係止される側面枠の支持筒は、側面枠の連結部に対して外方に略４５°ずれた位置で、側面枠の前の脚部の上端に設けられ、側面枠の連結部によって押込み方向への前面枠の枠体の回動が規制される請求項３記載のダストボックス。
【請求項５】
底枠は、その前後端に、鋼管からなる横枠体を備えて形成され、
各側面枠の前後の脚部の下端を異なる折曲角のもとで底枠側に折曲し、前後の折曲片を底枠の前後の横枠体の左右端に挿着して、各側面枠が底枠に係止、連結される請求項１〜４記載のダストボックス。
【請求項６】
各側面枠は、前後の脚部の間に、ごみ袋の側方への膨出を妨げる壁面枠をそれぞれ持つ請求項１〜５記載のダストボックス
【請求項７】
装着されるごみ袋の支持面となる底面の下方で底枠に、受け皿の配置可能な空間が形成された請求項１〜６記載のダストボックス。
【請求項８】
背面枠はロール状ごみ袋の保持可能な棚体をその内方に持ち、ロール状ごみ袋の先端をその突状部に係止して引き上げることによりミシン目に沿ってロール状ごみ袋から単体のごみ袋を切断する突状部付横枠体が、棚体に沿って架設された請求項１〜７記載のダストボックス。
【発明の詳細な説明】
【技術分野】
【０００１】
本発明は、ゴミ袋の装着されるダストボックス、特に、２枚のごみ袋が装着可能で分別回収にも適するダストボックスに関する。
【背景技術】
【０００２】
駅、繁華街、観光地、公園、映画館、劇場等のような多数の人が出入りする場所に、ダストボックス（ゴミ箱）が多数置かれている。ダストボックスとして、網、プラスチックからなる円筒体、矩形体のものが広く使用され、ダストボックスの上縁にゴミ袋の開口上端を折り返して装着し、装着したゴミ袋にゴミが入れられる。
【０００３】
このように、ダストボックスに装着されたゴミ袋にゴミを入れれば、ゴミ袋の交換でゴミが収集でき、ゴミの収集が容易になる。また、水分、小さなゴミ等がダストボックスから漏れたり、散乱することもなく、ダストボックス周囲の汚染が防止される。
【０００４】
最近では、ごみの回収、処分の円滑化や資源の再利用のために、分別回収が推進され、分別回収のために複数のごみ袋の装着可能なダストボックスが知られている。
【０００５】
分別用のダストボックスにおいては、１つのダストボックスに複数の、通常２つの空間を設定し、それぞれにごみ袋が装着可能に構成される。そして、上記のように、ごみ袋はその開口上端を折り返し、開口上端をダストボックスの上縁に係止することによって、ダストボックスに装着される。２つのごみ袋を１つのダストボックスに装着させると、２つのごみ袋の隣接するサイドにおいて、ごみ袋の開口上端はダストボックスの上縁に係止できない。そのため、係止されないごみ袋の開口上端が垂れ下がってごみ袋の開口を塞ぐため、ごみ投棄の邪魔となる。また、ごみ袋の開口上端が垂れ下がって、２つのごみ袋の間に隙間ができると、ごみがこの隙間に投棄されて、ごみ袋でなくダストボックスそのものに堆積し、ごみ袋の回収だけでなく、堆積したごみの処理が必要となり、ゴミ回収の作業性が低下する。
【０００６】
ごみ袋の開口上端の全周係止を可能とするために、ダストボックス内を２つの空間に仕切る仕切り板をダストボックスの中央付近に設けたり（たとえば、実公昭５７−０１８３２２号公報、実開昭６４−０１８００７号公報）、ダストボックスの開口に仕切り棒を架け渡す（たとえば、実開昭６２−１７６１０２号公報）分別用のダストボックスが知られている。
【０００７】
また、特許第３０４０７１２号公報には、２つのごみ袋押さえ枠をダストボックスの開口上端内側に設けたダストボックスが記載されている。それぞれのごみ袋押さえ枠は、ダストボックスの側壁にその端を回動可能に取付けたＵ字形の外枠と、外枠の内側で外枠の脚部にその端を回動可能に取付けたＵ字形の内枠との組合せから構成されている。このダストボックスにおいては、それぞれのごみ袋押さえ枠で規定される空間にごみ袋がそれぞれ収納され、ごみ袋の開口上端は、Ｕ字形の外枠、内枠でそれぞれ折り返され、Ｕ字形の外枠を倒して外枠とダストボックスの側壁との間で挟持されて係止されるとともに、Ｕ字形の内枠を倒して内枠どうしの挟持で係止されている。なお、係止突条（突起）が内枠の外面に形成されているため、係止突条どうしの係止により、内枠の間でごみ袋の開口上端が強固に挟持され、２つのごみ袋の隣接するサイドにおけるごみ袋の開口上端の垂れ下がりが防止される。
【０００８】
なお、仕切り板でダストボックス内を２つの空間に仕切る構成（実公昭５７−０１８３２２号公報、実開昭６４−０１８００７号公報など）では、仕切り板によって異なる大きさの空間が設定される。ここで、仕切り板を本体と別体成形して離脱可能とすれば（実公昭５７−１８３２２号公報）、仕切り板を除くことにより、大量に出る特定のごみのための１枚の大きなごみ袋を装着した専用のダストボックスとしても利用でき、分別回収、通常回収に併用でき、汎用性が高い。しかし、不使用時に仕切り板を紛失するおそれがある。
【０００９】
仕切り棒を架け渡した構成（実開昭６２−１７６１０２号公報など）では、仕切り棒の位置を任意に変えることができ、２つの空間の大きさを任意に設定できる。この構成においても、仕切り棒を除けば、１枚の大きなごみ袋を装着した専用のダストボックスとしても利用でき、汎用性が高い。しかし、この構成でも不使用時に仕切り棒を紛失するおそれがある。
【００１０】
特許第３０４０７１２号公報のダストボックスでは、内枠はスライド可能に外枠の内側に取付けられており、２つの内枠を同じ方向にスライドさせることにより、２つの空間の大きさを任意に設定できる。そして、分別されるゴミの量に応じて、２つの空間の大きさを設定し、空間の大きさ（具体的には、空間の開口の大きさ）に対応した大きさの、同一サイズまたは異なるサイズの２枚のごみ袋がダストボックスに装着されて、分別投棄される。この構成では、２つの内枠を使用せず、１枚の大きなごみ袋を２つの外枠で係止すれば、専用のダストボックスとしても利用できる。そして、内枠を取り外すことなく１枚の大きなごみ袋を装着できるため、内枠の紛失はありえない。
【００１１】
最近では、ペットボトル、缶、ビンなど（以下、適宜「ペットボトルなど」という）にいれた各種の飲料水が、大量に販売、消費され、それに伴って、ペットボトルなどがダストボックスに大量に投棄されている。そして、投棄されたペットボトルなどから飲み残しが流れ出てごみ袋の底に残量し、ごみ袋に穴や破れが生じると、穴、破れから外に流出する。ところで、上記の分別用ダストボックスは、いずれも、プラスチックから底付の密閉容器形状に成形されているため、ごみ袋の穴、破れから漏れた飲み残しはダストボックスの底に滞留する。そのため、ごみの回収においては、ごみ袋を持ち上げて回収するだけでなく、ダストボックスを傾けてダストボックスの底から飲み残しを排除し、底を洗って飲み残しによる汚れをなくすという後作業が必要となる。しかし、飲み残しの排除と容器の洗浄という後作業は、汚れる作業であり、忌避されている。
【００１２】
たとえば、上記実開昭６４−０１８００７号公報のダストボックスでは、この点を考慮し、仕切り板の下端に２つの空間を連通する連通孔を形成している。そして、ダストボックスの底に排水孔を設けるとともに、ダストボックスの底を排水孔に向かって下降する傾斜面とし、排水孔を外部から栓で閉じている。この構成では、２つの空間に装着したごみ袋に投棄されたペットボトルなどから漏出した飲み残しは、傾斜面に沿って流れ、連通孔を介して排水孔付近に滞留する。そのため、栓を除いて排水孔を開放することにより、飲み残しが流出するとともに洗浄のために注入した水も排水でき、後作業が簡単に行える。
【００１３】
しかし、排水孔をダストボックスの底に設けて、外部から栓で閉じているため、ダストボックスを傾けないと栓を除くことができない。そして、栓を抜くときにダストボックスを傾けすぎたり、勢いよく傾けると、ダストボックスの底に滞留した飲み残しが、ダストボックスの開口上端を越えて流出するおそれがある。
【００１４】
また、プラスチック容器からなるダストボックスに特有の問題も指摘されている。つまり、ごみ袋に投棄されたペットボトルなどは不規則に積み重ねられ、ごみ袋が不規則に外側に膨らむ（膨出する）。プラスチック容器のダストボックスでは、積み重ねられペットボトルなどの重量の逃げ場がなく、ごみ袋がダストボックスの側壁に押し付けられ、密着されるため、回収のためにごみ袋を持ち上げると、膨出した部分でごみ袋がダストボックスの側壁で擦れて破断される。すると、ごみ袋の底に滞留していた飲み残しがこの破断孔から急激に噴出する。破断孔からの飲み残しの噴出は、ごみ袋がダストボックスの開口上縁を越えた時点で生じることが多く、ダストボックスの周囲を汚染させるだけでなく、ごみ袋を持ち上げているゴミ回収者に降りかかり、大きな問題となっている。さらに、プラスチック容器からなるダストボックスにおいては、重ねて搬送、収納したとしても、大きな容積を占め、搬送性においても問題がある。
【００１５】
プラスチック容器でなく、鋼管、鋼棒などのフレーム（枠体）を枢軸の回りに回動可能に組合わせて構成されたダストボックスも知られている（たとえば、実用新案登録第３０４４２１４号公報、特開平１１−２１７１０２号公報）。このフレーム状のダストボックスでは、ごみ袋の開口上端を張設した状態で係止できるため、ごみ袋の開口上端が垂れ下がってごみ袋の開口を塞ぐことはない。さらに、ごみ袋の回収は容易であり、回収の際、ごみ袋が破断されて、飲み残しが噴出するおそれは少ない。また、折り畳み可能であるため、搬送性に優れる。
【００１６】
しかし、フレーム状のダストボックスでは、装着されるごみ袋は１枚であり、複数のごみ袋を装着されるように構成されていないため、分別回収のためには、複数のダストボックスを併設しなければならず、分別回収に適さない。回収の際、ごみ袋が破断されるおそれが少ないとはいえ、ペットボトルなどの投棄によってごみ袋に穴や破れが形成されると、飲み残しが流出して、ダストボックスの周囲が汚染される。ここで、受け皿をごみ袋の下方に配置すれば、周囲の汚染を取りあえず防止できる。しかし、飲み残しの受け皿はごみ袋の受けともなり、ごみ袋の底が受け皿内の飲み残しに浸され、回収のためにごみ袋を持ち上げるとごみ袋から飲み残しが滴り落ち、結果的には周囲の汚染を防止できない。
【００１７】
なお、ペットボトルなどの飲み残しだけでなく、家庭、飲食店などから出る生ごみについても、飲み残しと同様な問題を生じており、飲み残しと同列に生ごみも論じることができる。したがって、以下においては、（ペットボトルなどの）飲み残しなどと表現することで、生ごみも含んで論じる。
【特許文献１】実公昭５７−０１８３２２号公報
【特許文献２】実開昭６４−０１８００７号公報
【特許文献３】実開昭６２−１７６１０２号公報
【特許文献４】特許第３０４０７１２号公報
【特許文献５】実用新案登録第３０４４２１４号公報
【特許文献６】特開平１１−２１７１０２号公報
【発明の開示】
【発明が解決しようとする課題】
【００１８】
解決しようとする問題点は、ごみ袋の開口上端を確実に係止でき、搬送、収納が容易で、分別回収に加えて特定のごみ専用の１枚の大きなごみ袋も装着できる汎用性に優れたダストボックスがない点にある。
【課題を解決するための手段】
【００１９】
本発明は、構成部材を底枠、２つの側面枠、背面枠、前面枠の４つに分割し、これらを係止、連結して組立てられ、背面枠の中央部を折曲げて折曲げ部の左右の肩部をごみ袋の係止部とし、前面枠が２つの枠体を備え、各枠体は、押込み方向への回動を規制されて、側面枠の前の脚部に回動可能に係止されたことを主要な構成としている。
【発明の効果】
【００２０】
請求項１および２記載の本発明によれば、構成部材を分割しているため、搬送、保管が容易で、搬送性に優れたダストボックスが得られる。そして、略矩形形状の底枠に脚部の下端を係止させて略逆Ｕ字形状の側面枠が底枠に左右から組込み、左右の端を側面枠の後の脚部の上端に係止させて略逆Ｕ字形状の背面枠を左右の側面枠に組込み、前面枠の各枠体を各側面枠の前の脚部に係止させて組込めば組立てられ、何らの工具を必要とせず、係止だけで組立てられる。
【００２１】
略矩形形状の底枠の回りで左右に側面枠、前に前面枠、後に背面枠が組込まれるから、ダストボックスは正方形または長方形の外形形状を持ち、側面枠の２つの脚部上端、背面枠の中央部に形成した係止部、前面枠の枠体の上の肩部という４点でごみ袋の開口上端の折り返しを係止することにより、ごみ袋が装着される。そして、側面枠の２つの脚部上端、背面枠の中央部に形成した係止部、前面枠の枠体の上の肩部の組合わせは、左右に１つずつ、計２つ形成されるから、２つのごみ袋が装着でき、分別回収のダストボックスとして利用できる。ここで、前面枠の各枠体は、押込み方向への回動を規制されて回動可能となっており、回動のための隙間を利用して枠体を押込んだ位置でごみ袋を装着すれば、枠体を元の位置に戻そうとする復元力（弾性力）がごみ袋の開口上端に作用してごみ袋の開口上端を確実に係止する。そのため、挿着が外れてごみ袋の開口上端が垂れ下がることによってごみ袋の開口を塞ぐおそれがない。
【００２２】
また、背面枠中央部の係止部、前面枠の枠体の肩部をいずれも使用せず、左右の側面枠の前後２つの脚部上端という、左右２つずつの計４つの脚部上端に、ごみ袋の開口上端の折り返しを係止させるという一般的な装着方法によれば、１枚の大きなごみ袋も装着できる。そのため、大量に出る特定のごみのための１枚の大きなごみ袋を装着した専用のダストボックスとしても利用でき、分別回収、通常回収に併用できる汎用性の高いダストボックスが得られる。そして、通常回収用のダストボックスとして使用される場合も、分別回収時のごみ袋の装着に利用される中央折曲げ部の形成された背面枠や、前面枠の枠体を取り外す必要がなく、それらを紛失することがない。
【００２３】
分別回収においては、回動のための隙間を利用して前面枠の枠体を押込んで前面枠からごみ袋の開口上端を外すことにより、ごみ袋の開口上端の装着が解除される。そして、前面枠の枠体を回動させて側方に逃がせば、前面が開放され、手前に引くことによって、ごみ袋はダストボックスから取り出され、回収される。プラスチック容器からなるダストボックスにおいては、上に引き上げるため、側壁と擦れることにより、ごみ袋が損傷しやすいのに対して、手前に引き出す場合には、側面枠との擦れによる損傷は生じにくく、必要であれば、左右の側面枠はその上端がフリーであるため、側面枠をその上端で左右に押し広げて、ごみ袋を少し上に持ち上げて手前に引き出せば、回収時でのごみ袋の損傷を確実に回避できる。このように本発明によれば、損傷させることなく、ごみ袋を容易に回収できる。
【００２４】
略矩形形状の底枠はごみ袋の支持面となる底面を持ち、ごみ袋は底枠の底面(支持面)に支持され、底面(支持面)の下に置いた受け皿から分離される。そのため、ごみ袋の穴、破れから漏出した飲み残しなどが受け皿に滞留しても、ごみ袋の底が受け皿内の飲み残しなどに浸されていないため、受け皿内の飲み残しなどが回収時にごみ袋の底から滴下することもなく、周囲を汚染する心配がない。
【００２５】
請求項３記載の本発明によれば、側面枠に上下から係止されて挟持されるため、前面枠は容易に離脱することなく、確実に組込まれる。また、前面枠が閉ループ形状であるため、回収時にごみ袋が引っかかって損傷するおそれもない。
【００２６】
請求項４記載の本発明によれば、側面枠の連結部が押込み方向の前面枠の回動を規制するストッパとして機能し前面枠の規制された回動可能な係止が簡単な構成で確保される。
【００２７】
請求項５記載の本発明によれば、折曲片の挿着方向が相違し、折曲片への押込み力が既挿着の折曲片の引出し力として作用しないため、底枠への側面枠の係止、連結が容易に行える。
【００２８】
請求項６記載の本発明によれば、側面枠の壁面枠によってごみ袋の膨出が防止されるため、ごみ袋を手前に引き出すときの側面枠との擦れが緩和され、擦れに起因するごみ袋の破損を回避できる。
【００２９】
請求項７記載の本発明によれば、ごみ袋を支持する底面の下方の空間を利用して、受け皿がダストボックス内に配置されるため、受け皿に位置ずれが生じ難く、受け皿はごみ袋から漏出した飲み残しなどを確実に受け、受け皿外への滴下による周囲の汚染が防止される。
【００３０】
請求項８記載の本発明によれば、背面枠の棚体にロール状ごみ袋を保持させることにより、ごみの回収のたびに新たなごみ袋を用意する必要がない。そして、ロール状ごみ袋の先端を横枠体の突状部に係止して引き上げれば、ミシン目に沿ってロール状ごみ袋から単体のごみ袋が切断されてごみ袋が得られ、ごみ袋の回収から装着までの一連の回収作業が簡単化される。
【発明を実施するための最良の形態】
【００３１】
本発明のダストボックスは、装着されるごみ袋の支持面となる底面を持つ略矩形形状の底枠と、その下端が底枠に係止される２つの脚部と脚部の上端を連結する連結部とを備えた２つの略逆Ｕ字形状の側面枠と、その左右の端が側面枠の後の脚部の上端、連結部の後端のいずれかに係止される略逆Ｕ字形状の背面枠と、側面枠の前の脚部の上端、連結部の前端のいずれかに係止される前面枠とを具備し、背面枠の中央部を下方に折曲げて、ごみ袋の係止部となる肩部を折曲げ部の左右端に成形し、前面枠が２つの枠体を備え、各枠体は、押込み方向への回動を規制されて前後方向に回動可能に係止されて構成される。
【実施例】
【００３２】
図１は本発明の一実施例に係るダストボックス１０の概略を示す分解斜視図を示し、本発明では、その構成部材を底枠２０、２つの側面枠３０（３０Ｌ、３０Ｒ）、背面枠４０、前面枠５０の４つに分割し、これらを連結し組込んで組立てるように構成されている。図２は、底枠２０、側面枠３０、背面枠４０、前面枠５０を組込んで組立てられたダストボックス１０の斜視図を示し、図３（Ａ）（Ｂ）は組立てられたダストボックスの正面図、右側面図を示し、いずれも２つのごみ袋１２が装着した状態で示されている。以下、それぞれの構成部材についてその構成を順次説明する。
【００３３】
まず、底枠２０について説明する。図４に底枠２０の斜視図を示す。図２からわかるように、底枠２０は、装着されるごみ袋１２（図３（Ａ）（Ｂ）参照）の支持面となる底面２２を持つ略矩形形状に成形されており、底面２２は、矩形形状の枠体２２ａの上面に、一連の縦枠体２２ｂを相互に所定距離離反して架設、溶着して形成されている。たとえば、枠体２２ａは直径８ｍｍの鋼棒を矩形に折曲加工して成形され、縦枠体２２ｂは直径６ｍｍの鋼棒を切断して使用する。また、矩形の１辺の一部を欠いた形状に成形した支持枠２４Ｌ、２４Ｒが、その切欠き辺を上にして、枠体２２ａの下方でその前後端にそれぞれ溶着されている。そして、２本の横枠体２５−１が左右の支持枠２４Ｌ、２４Ｒの下面で支持枠２２の前端および後端に、２本の横枠体２５−２が支持枠の中間部にそれぞれ架設、溶着されている。たとえば、支持枠２４Ｌ、２４Ｒは直径６ｍｍの鋼棒を折曲加工して成形され、横枠体２５−１は直径１３ｍｍの鋼管を、横枠体２５−２は直径６ｍｍの鋼棒をそれぞれ切断して使用する。後述するように、鋼管から成る前後の横枠体２５−１の端部に、側面枠３０の前後の脚部の下端が挿入されて、側面枠が底枠２０に連結される。
【００３４】
さらに、鋼板２６Ｌ、２６Ｒが前後の横枠体２５−１の下面に架設、溶着され、ローラ２７が前後に離反して鋼板２６Ｌ、２６Ｒの下面に２つずつ、計４つ取付けられている。そのため、底枠２０はその前後方向（矢視方向）に移動可能となり、ダストボックス１０はダストカートとして機能する。
【００３５】
上記底枠２０の構成では、支持面２２の下方に、支持枠２４Ｌ、２４Ｒで左右を、横枠体２５−１、２５−２、鋼板２６Ｌ、２６Ｒでその下面をそれぞれ規定された空間２８が形成される。この空間２８には、ペットボトル、カン、ビンの飲み残しや生ごみなど（飲み残しなど）のための受け皿２９が配置される。
【００３６】
図５に受け皿２９の斜視図を示す。本発明のダストボックス１０には、図２、図３（Ａ）に示すように、２枚のごみ袋１２が装着されるため、ごみ袋の数に対応して２つの受け皿２９が空間２８に配置される。受け皿２９はプラスチックから成形され、上縁にフランジ２９ａを設け、底面にエンボス２９ｂを設けて補強している。通常、２つの受け皿２９は、成形、搬送の便宜を考慮して同じものとされる。また、底面の前端で、横溝２９ｃが受け皿２９に形成され、この横溝２９ｃは底枠２０の横枠体２５−１と係止可能となっている。受け皿２９を空間２８に挿入し、その横溝２９ｃを底枠２０の前の横枠体２５−１に係止させて空間内に配置すれば、受け皿は横枠体２５−１、２５−２、鋼板２６Ｌ、２６Ｒで支持され、その左右の動きが左右の支持枠２４Ｌ、２４Ｒで規制されるだけでなく、前後の動きが横溝２９ｃと横枠体２５−１との係止によって規制される。このように、底枠２０の横枠体２５−１は、受け皿２９の横溝２９ｃに係止されて、受け皿のストッパとして機能する。なお、小さな受け皿２９を２つ配置する代わりに、大きな１つの受け皿を空間２８に配置してもよい。
【００３７】
支持面２２の下方で、受け皿２９を床面などに直接配置した場合には、ダストボックス１０、受け皿２９間に相対的な位置ずれが生じやすく、ごみ袋から漏出した飲み残しなどが受け皿に滴下せず床面に落ちて、ダストボックス１０の周囲を汚染しやすい。しかし、実施例にように、受け皿２９のための空間２８を底枠２０に設けて、受け皿をこの空間内に配置すれば、飲み残しなどが受け皿に確実に滴下し、周囲の汚染を防止できる。特に、底枠２０の横枠体２５−１を受け皿２９のストッパとしているため、ダストボックス１０に前後方向の衝撃力が加えられたり、ダストボックスが前後方向に傾けられても、受け皿２９が空間２８から前後方向に飛び出すことがなく、受け皿の飛び出し、離脱に起因する受け皿内の飲み残しなどの散乱や周囲の汚染が防止される。
【００３８】
さらに、空間２８は支持面２２の下方に形成され、一連の縦枠体２２ｂによって支持面２２と隔離されている。そして、ごみ袋１２は支持面２２に支持され、空間２８内の受け皿２９はごみ袋の受けとならない。そのため、受け皿がごみ袋の受けとなってごみ袋の底が受け皿内の飲み残しに浸され、回収のためにごみ袋を持ち上げるとごみ袋から飲み残しが滴り落ちて周囲を汚染させるという従来の問題は、本発明では発生せず、本発明では周囲を汚染することなくごみ袋が回収できる。そして、受け皿２９から飲み残しを排除して受け皿を洗うという後作業が必要とはいえ、プラスチック容器からなるダストボックスを傾けてダストボックスの底から飲み残しを排除して底を洗うという従来の後作業に比較すれば、本発明での後作業は格段に改善される。
【００３９】
次に、側面枠３０について説明する。図６に側面枠３０の斜視図を示す。図６に示すように、側面枠３０は左右２つの側面枠３０Ｌ、３０Ｒからなり、側面枠３０Ｌ、３０Ｒは左右対称に成形されている。以下、右の側面枠３０Ｒについてその構成を説明し、左の側面枠３０Ｌの説明は省略する。
【００４０】
側面枠３０Ｒは、２つの脚部３２ａと脚部の上端を連結する連結部３２ｂとを備えた略逆Ｕ字形状に、たとえば、直径８ｍの鋼棒を折曲げ加工して成形されている。そして、２つの脚部３２ａの間で外面に、一連の横枠体３３を所定距離相互に離反して架設し、横枠体３３の中央に横枠体３３と同一材料の１つの縦枠体３４を設けて側面壁３４を形成している。
【００４１】
側面枠３０は底枠２０に対しては能動部材（連結部材）として、背面枠４０、前面枠５０に対しては受動部材（受け部材）として機能する。つまり、側面枠３０は２つの脚部３２ａの双方の下端を利用して底枠２０に連結され、２つの脚部３２ａのうち、背面の脚部３２ａ１の上端に背面枠４０が連結され、前面の脚部３２ａ２の上端に前面枠５０が連結される（図１、図２参照）。
【００４２】
まず、脚部３２ａの下端を利用した底枠２０への連結方法について説明すると、図６からわかるように、脚部３２ａ１、３２ａ−２の下端は、いずれも内側（底枠側２０）に折曲げられ、この折曲片３３（３３−１、３３−２）が底枠２０の鋼管からなる横枠体２５−１の端（図４参照）に挿着されることにより、側面枠３０Ｒが底枠２０に連結される。
【００４３】
鋼管に折曲片を挿着して物を組み立てる場合、装着体が複数の折曲片、たとえば、２つの折曲片を持つと、一方の折曲片を挿着してから、他方の折曲片を挿着させようとすると（説明の便宜上、一方の折曲片を折曲片１、他方の折曲片２とする）、折曲片２の挿着中に挿着済みの折曲片１が抜け出て、折曲片２が容易に挿着できないことをしばしば経験する。これは、折曲片１、２の挿着方向が一致し、装着体が折曲片１、２を持つ一体物という条件下で生じ、挿着のために折曲片２に押込み力を加えると、この押込み力によって一体物である装着体に弾性力が生じ、この弾性力が、折曲片２と離間した位置の折曲片１に引出し力として作用することとして把握される。
【００４４】
そのため、本発明のダストボックス１０においては、側面枠３０Ｒに形成される折曲片３３は、その前後において折曲角度を変えて、挿着方向が一致しないように形成されている。図７（Ａ）（Ｂ）は、その一部を破断した側面枠３０Ｒの左側面図であり、詳細には、図７（Ａ）は図６の矢視ａから見た背面の脚部３２ａ１を、図７（Ｂ）は図６の矢視ｂから見た前面の脚部３２ａ２をそれぞれ示す。なお、図７（Ｃ）は、図６の矢視ｃから見た側面枠３０Ｒの平面図である。
【００４５】
背面の脚部３２ａ１の折曲片３３−１は、一般的な折曲角である９０°より小さく、前面の脚部３２ａ２の折曲片３３−２は大きくそれぞれ折曲され、実施例の構成では、それぞれの折曲角θ１、θ２を相違させて、その挿着方向を変えている。そのため、たとえば、背面の折曲片３３−１を底枠２０の背面の横枠体２５−１の右端に挿着してから、前面の折曲片３３−２を前面の横枠体２５−１の右端に挿着するために折曲片３３−２に押込み力を加えて側面枠３０Ｒに弾性力が生じ、折曲片３３−１に引出し力として作用しても、挿着方向の不一致によって、引出し力は折曲片３３−１に曲げモーメントを発生させるにとどまり、折曲片３３−１を引出す力として作用しない。そして、引出すどころか、曲げモーメントは折曲片３３−１を曲げるように作用して折曲片３３−１を横枠体２５−１に強固に挿着する。そのため、前後の横枠体２５−１への折曲片３３−１、３３−２の連続した挿着は、既挿着の折曲片の離脱を伴うことなく行える。ここで、折曲片３３−１、３３−２の折曲角が相違し、その挿着方向が一致していないため、挿着のとき側面枠３０Ｒを少し変形させながら挿着させる必要がある。しかし、既挿着の折曲片の離脱を防ぎながら別の折曲片に押込みを加える従来の挿着方法での煩雑さに比較すれば、本発明の挿着方法ははるかに安易に行える。
【００４６】
たとえば、折曲角θ１、θ２をθ１＝９０−ａ、θ２＝９０＋ｂとしたとき、ａ＝ｂとすれば、大きな力を要することなく折曲片３３−１、３３−２が挿着できる。そして、ａ＝ｂ＝５とし、θ１＝８５°、θ２＝９５とした場合に、良好な効果が得られる。なお、折曲片３３−１、３３−２の折曲角を相違させてその挿着方向を一致させなければ足り、背面の折曲片３３−１の折曲角を小さくした実施例の構成とは逆に、前面の折曲片３３−２の折曲角を小さくしても何ら差し支えない。また、θ１＝θ２＝９０とし、紙面に対して垂直方向に折曲片３３−１、３３−２をずらして折曲げてもよい。
【００４７】
次に、背面の脚部３２ａ１の上端への背面枠４０の連結方法および、前面の脚部３２ａ２の上端への前面枠５０の連結方法について説明する。図７からわかるように、背面の脚部３２ａ１の上端には支持筒３５−１が、前面の脚部３２ａ２の上端には支持筒３５−２が溶着されている。たとえば、支持筒３５−１、３５−２は、底枠２０の横枠体２５−１と同様に鋼管から形成され、直径１０ｍｍの鋼管が使用される。ここで、図７（Ａ）（Ｂ）（Ｃ）からわかるように、背面枠４０のための支持筒３５−１は、側面枠３０Ｒの連結部３２ｂに対して内側に９０°ずれた位置に取付けられて、下端の折曲片３３−１の真上に位置するのに対して、前面枠５０のための支持筒３５−２は、連結部３２ｂに対して外側にθ３ずれた位置に取付けられ、下端の折曲片３３−２の真上に位置していない。このθ３は実施例では４５°に設定されている。
【００４８】
このように支持筒３５−１、３５―２の取付け位置を相違させた理由は、図１に示すように、背面枠４０が支持筒３５−１に連結されて固定されるのに対して、前面枠５０を支持筒３５−２に回動可能に連結させるためであり、前面枠５０の説明の際、詳細に説明する。図７（Ａ）（Ｂ）に示すように、背面枠４０が上から支持筒３５−１に挿着されるのに対して、前面枠５０は上下から挟持する状態で支持筒３５−２に挿着されるため、前面枠用の支持筒３５−２は背面枠用の支持筒３５−１より長く形成されている。
【００４９】
背面枠の支持筒３５−１の取付け位置は、側面枠３０Ｒの連結部３２ｂに対して内側に９０°ずれた図示の位置に限定されず、たとえば、図７（Ｃ）に一点鎖線で示すように、連結部３２ｂの延長線上に設けてもよい。しかし、内側に９０°ずれた位置では、ごみ袋１２を装着したとき、支持筒３５−１がごみ袋の内側に位置してごみ袋に接触しないため、支持筒３５−１がごみ袋を損傷するおそれがない。これに対して、延長線の位置では、支持筒３５−１がごみ袋に接触して支持筒３５−１によってごみ袋を損傷させるおそれがあり、内側に９０°ずれた図示の位置に支持筒３５−１を設けることが好ましい。また、通常、支持筒３５−１は側面枠３０Ｒの脚部３２ａの上端に取付けられるが、連結部３２ｂの後端に取付けてもよい。
【００５０】
背面枠４０について説明する。図８は背面枠４０の斜視図を示し、背面枠は、たとえば、８ｍｍの鋼材を略逆Ｕ字形状に折曲加工するとともに、その中央部を下方に折曲げて成形されている。図１、図７（Ｃ）からわかるように、背面枠４０の下方に向いた左右端４０ａは左右の側面枠３０Ｌ、３０Ｒの（鋼管からなる）支持筒３５−１にそれぞれ挿着されることにより、背面枠４０が側面枠３０に連結されて組込まれる。図２、図３（Ａ）からわかるように、背面枠４０の中央部を下方に折曲げて成形された中央折曲げ部４２の左右の肩部４２ａにごみ袋１２を架けることによりごみ袋が装着されるため、左右の端４０ａと肩部４２ａとの距離Ｌ１がごみ袋１２を無理なく装着する長さとなるように、折曲げ部４２の幅Ｌ２が決められる。なお、中央折曲げ部４２は、その左右の肩部４２ａにごみ袋１２を無理なく架けられる形状であれば足り、図示の略逆Ｕ字形状に限定されない。
【００５１】
実施例では、鋼板をＬ字形状に折曲した棚体４４が、背面枠４０の中央折曲げ部４２に溶着されている。棚体４４の底板４４ａの自由端４４ａ'は上方に折曲され、略Ｕ字形状の枠体４６がその左右の端を棚体の側壁４４ｂに溶着させて底板４４ａの上に配置されている。たとえば、枠体４６は直径４ｍｍの鋼棒を折曲加工して成形され、さらに、その全長Ｌ２を略４等分した位置で、下方に略三角形に折曲して３つの突状部４６ａを設けている。図３（Ｂ）からわかるように、枠体４６は、棚体４４の折曲端４４ａ'との間に隙間を残し、棚体から飛び出て配置されている。なお、側面枠３０の脚部３２ａ１のための遊通孔４４ｃが、棚体４４の底板４４ａの左右端に形成されている。
【００５２】
棚体４４には、ダストボックス１０に装着されて使用されるごみ袋１２が保持され、ごみ袋１２として、ロール状のごみ袋１２'をミシン目から破断、分離して使用することが好ましく、ロール状のごみ袋１２'が棚体４４に保持されて待機している。図３（Ｂ）に示すように、使用の際には、ロール状ごみ袋１２'の先端を棚体４４の折曲端４４ａ'と枠体４６との隙間に通してから上に引けば、枠体４６の突状部４６ａによって、ミシン目からごみ袋が破断、分離される。
【００５３】
このように、ロール状のごみ袋１２'を保持する棚体４４を背面枠４０に設けることにより、ごみ袋の回収のたびにごみ袋を用意する手間が省け、ごみ袋の回収から装着までの一連の回収作業が簡単化される。ここで、棚体４４を背面枠４０に設けても、ごみ回収のときごみ袋１２は手前に引き出されて回収されるため、背面枠４０の棚体４４はゴミ回収の障害とならない。そして、ごみ袋１２のデッドスペースとなる位置に対応する背面枠４０の上端に設けられているため、棚体４４の存在がごみ袋の有効容積を減少させるおそれもない。また、背面枠４０の上端の棚体４４に保持されたロール状ごみ袋１２'は、図３（Ｂ）に示すように、装着されたごみ袋１２によって覆われ隔離されるため、投棄されたペットボトルなどからの飲み残しなどを浴びて汚れることもない。
【００５４】
前面枠５０について説明する。図９は前面枠５０の斜視図を示す。前面枠５０は、略矩形形状の４つの辺のうち、１辺の中央部を切欠いた略矩形形状の２つの枠体５２からなり、たとえば、前面枠５０（枠体５２）は、直径６ｍｍの鋼棒を略Ｕ字形状に折曲し、さらに左右の端を内側に折曲して成形される。前面枠５０は、その上下の折曲端５２ａを側面枠３０の前面の脚部３２ａ２の（鋼管からなる）支持筒３５−２に、図１、図７（Ｂ）に示すように、上下から挿着して、側面枠３０に連結され、組込まれる。図２、図３（Ａ）からわかるように、前面枠５０の上の肩部５２ｂにごみ袋１２を架けることによりごみ袋が装着されるため、ごみ袋１２が無理なく装着される長さとなるように、前面枠５０の大きさ（長さＬ３）が決められる。なお、図７（Ｃ）において、背面枠４０のための支持筒３５−１と前面枠５０のための支持筒３５−２との位置ずれをΔＬとすれば、背面枠４０の長さＬ１（図８参照）と前面枠の長さＬ３と関係は、Ｌ３＝Ｌ１＋ΔＬで示される。
【００５５】
それぞれの構成部材の組込みについて図１を参照しながらまとめて説明する。もちろん、以下の組込み順序は一例であり、この順序に限定されない。
１．側面枠３０の組込み
所定位置におかれた底枠２０の（鋼管からなる）背面の横枠２５−１に、左右から側面枠３０の後の折曲片３３−１が挿着、連結されるとともに、前面の横枠２５−１にも、左右から側面枠３０の前の折曲片３３−２が挿着、連結されて、底枠２０に２つの側面枠３０（３０Ｌ、３０Ｒ）が組込まれる。ここで、上記のように、折曲片３３−１、３３−２の折曲角が相違し（図７（Ａ）（Ｂ）参照）、その挿着方向が一致しないため、背面の折曲片３３−１を挿着してから、前面の折曲片３３−２を挿着しても、折曲片３３−２の押込み力が挿着済の折曲片３３−１に引出し力として作用せず、横枠体２５−１への折曲片３３−１、３３−２の連続した挿着が、挿着済の折曲片の離脱を伴うことなく安易に行え、側面枠３０は底枠２０に迅速、容易に組込まれる。
【００５６】
２．背面枠４０の組込み
背面枠４０は、下方に向いた左右端４０ａを側面枠３０の背面の（鋼管からなる）支持筒３５−１に挿着、連結することにより、左右の側面枠３０（３０Ｌ、３０Ｒ）の間に架設されて組込まれる。
【００５７】
３．前面枠５０の組込み
前面枠５０は、その上下の折曲端５２ａを側面枠３０の（鋼管からなる）支持筒３５−２に上下から挿着、連結することにより、側面枠３０に組込まれる。前面枠５０の組込みによって、ダストボックス１０が組立てられる。
ここで、図７（Ｃ）からわかるように、前面枠５０のための支持筒３５−２は、連結部３２ｂに対して外側にθ４（４５°）ずれた位置に位置している。そして、外側に４５°ずらして位置する支持筒３５-２に挿着、連結される前面枠５０は、連結部３２ｂに当接する連結部３２ｂに対して略９０°の正面位置Ｆと、連結部３２ｂに対して略平行な格納位置Ｂの間でθ３（略２７０°）の範囲で回動可能となる。このように、押込み方向（背面枠方向）への背面枠５０の回動は、連結部３２ｂに当接して規制されている。しかし、前面枠５０の折曲端５２ａと支持筒３５-２との間には回動を許容する隙間が存在するため、隙間相当分だけ、前面枠５０はその正面位置ＦからさらにΔθ３押込んだ位置Ｆ≡まで回動できる。そして、前面枠５０を位置Ｆ≡に押込むと、前面枠５０をその正面位置Ｆ方向に戻そうとする弾性力が前面枠に作用する。
【００５８】
このように、ダストボックス１０は、その構成部材を底枠２０、２つの側面枠３０、背面枠４０、前面枠５０に分割し、それらを組込んで組立て可能としているため、搬送、保管の容易な搬送性に優れたものが得られる。なお、２つの側面枠３０、背面枠４０、前面枠５０の上面位置に段差があると、投棄されたごみによってごみ袋１２の折り返し部分に下方に引く力が生じて、折り返し部分でごみ袋が損傷しやすいため、２つの側面枠３０、背面枠４０、前面枠５０の上面位置は略同一とされる。
【００５９】
次に、ごみ袋１２の挿着について述べる。背面枠４０の棚体４４にロール状ごみ袋１２'が保持されており、ロール状ごみ袋の先端を、棚体４４の折曲端４４ａ'と枠体４６との隙間に通して上に引けば（図３（Ｂ）参照）、枠体４６の突状部４６ａに係止されて、ミシン目から単体のごみ袋１２が破断、分離される。ロール状ごみ袋１２'から分離したごみ袋１２は、その開口上端を折り返し、図２、図３からわかるように、（１）背面枠４０の中央折曲げ部４２の肩部４２ａ、（２）側面枠２０の後面の脚部３２ａの上端（厳密には、脚部３２ａと連結部３２ｂとの連結点３３（図６参照））、（３）側面枠２０の前面の脚部３２ａの上端（厳密には、側面枠２０の支持筒３５−２）、（４）前面枠５０の上縁５２ｂという４点に折り返し縁を係止させることにより、ダストボックス１０に装着される。
【００６０】
ごみ袋１２の折り返し縁を係止する（１）〜（４）の係止点の組合わせは、左右に１つずつ計２つ形成されるため、２つのごみ袋が並置して装着でき、ダストボックス１０は分別回収のダストボックスとして利用できる。
しかし、（１）（４）で係止せず、（２）（３）の側面枠２０の前後の脚部３２ａの上端という、左右２つずつの計４つの脚部上端に、ごみ袋の開口上端の折り返しを係止させれば、１枚の大きなごみ袋１２が装着される。そのため、大量に出る特定のごみのための１枚の大きなごみ袋１２を装着した専用のダストボックスとしてもダストボックス１０が利用され、分別回収、通常回収に併用できる汎用性の高いものが得られる。そして、通常回収用のダストボックスとして使用される場合も、分別回収時のごみ袋の装着に利用される肩部４２ａの形成された背面枠４０や前面枠５０の枠体５２が取り外されないため、それらを紛失することがない。たとえば、ごみ袋１２として、分別回収では４５リットルのごみ袋が、通常回収では７０リットルのごみ袋が利用される。
【００６１】
ここで、押込み方向（背面枠方向）への前面枠５０の回動が、側面枠３０の連結部３２ｂとの当接により規制されているとはいえ、前面枠５０を押込んで位置Ｆ'まで回動させれば余裕が生じて、上記（１）〜（４）の４点にごみ袋１２が容易に係止され、装着が容易、迅速に行える。そして、位置Ｆ'に押込まれた前面枠５０には正面位置Ｆ方向に戻ろうとする弾性力が作用するため、ごみ袋１２を装着してから前面枠の押込み力を除けば、弾性力は前面枠をごみ袋に押付け、弾性力のもとでごみ袋が装着される。そのため、ごみ袋１２の装着が外れて垂れ下がりことによりその上端開口を塞いでごみの投棄の障害となる事態は生じない。
【００６２】
ごみ袋１２は枠体２０の支持面２２（図３（Ａ）参照）に支持されるため、受け皿２９を底枠の下に配置しても受け皿から隔離される。そのため、ごみ袋１２が受け皿２９に入り込んで受け皿の飲み残しに浸されることもなく、ごみ袋１２の回収時に周囲を汚染することもない
【００６３】
ごみ袋１２の回収は、左右前後のうち唯一の開放端である前面を利用してなされる。まず、装着を解除について述べると、装着時と同様に、前面枠５０を押込んで位置Ｆ'まで回動させながら、前面枠５０の肩部５２ｂに係止する部分でごみ袋の開口上端の折返しを上げれば、前面枠による係止が解除され、前面枠においてごみ袋が装着状態から開放される。４点のうちの１点でその係止が解除されれば、他の３点での係止も自然に解除され、ごみ袋１２は装着状態から開放される。そして、ごみ袋１２を手前に引けば、前面枠５０を位置Ｂ方向に回動させて外方に逃がしながら、ごみ袋がダストボックス１０から引き出されて回収される。
【００６４】
ここで、側面壁３４が側面枠３０に形成されているため、ペットボトルなどが投棄されて不規則に堆積しても、側面壁に妨げられてごみ袋が側方に大きく膨出しない。また、前面が開放されているため、積み重ねられペットボトルなどの重量は開放された前面方向に逃げ、ごみ袋の下半部が側面壁３４に強く押し付けられることもない。そのため、回収のためにごみ袋１２を手前に引いても、ごみ袋の膨出部と側面壁３４との間に大きな摩擦力は発生せず、側面枠３０との擦れによってごみ袋が破断されることもない。したがって、ごみ袋の底に滞留していた飲み残しが破断孔から急激に噴出する事態が避けられ、周囲を汚染することなくごみ袋１２が回収できる。
【００６５】
上述した実施例は、本発明を説明するためのものであり、本発明は上記実施例および変形例に限定されるものではなく、本発明の要旨を逸脱しない範囲内で上記以外の変形や改造が可能であることはいうまでもない。
【００６６】
前面枠５０（枠体５２）は、実施例では、略矩形形状の４つの辺の１辺を切欠き、その上下端を支持筒３５−２に上下から係止させて前面枠５０を側面枠３０に挟持されている。しかし、実施例の構成（図１０（Ａ）参照）に限定されず、前面枠５０を略Ｌ形状とし、その上端だけを支持筒３５−２に係止させた片持ち形状に前面枠５０を側面枠３０に回動可能に取付けてもよい（図１０（Ｂ）参照）。しかし、片持ち形状の前面枠５０（枠体５２）においては、その自由端にごみ袋１２が引っかかって損傷するおそれがあるのに対して、上下から係止させて挟持される略矩形形状の前面枠５０では、前面枠５０が側面枠３０から容易に離脱しないとともに、閉ループ形状であるため、ごみ袋の引っかかるおそれもない。
【００６７】
さらに、支持筒３５−１、３５-２を利用して、背面枠４０、前面枠５０を側面枠３０に係止させているが、係止手段は支持筒に限定されず、たとえば、係止孔付のＬ字部材を上下方向に離反して２つ設け、係止孔に背面枠４０、前面枠５０の端を挿通させてもよい。しかし、実施例の支持筒によれば、係止長さが大きく取れ、背面枠４０、前面枠５０を確実に連結できる。
【産業上の利用可能性】
【００６８】
本発明のダストボックスは、そのままで使用できるとともに、たとえば、上面に投棄孔が形成され、前面に観音開きまたは１枚の開き戸を持ち、底の抜けたダストケースに格納して使用することもでき、公共の場所（オープンスペース）、家庭、事務所などのダストボックスとして広範囲に利用できる。
【図面の簡単な説明】
【００６９】
【図１】本発明の実施例におけるダストボックスの分解斜視図を示し、各構成部材は細線のように装着されて組み込まれる。
【図２】組み立てられて２つのごみ袋の装着されたダストボックスの斜視図を示す。
【図３】（Ａ）（Ｂ）は組み立てられて２つのごみ袋の装着されたダストボックスの正面図、右側面図を示す。
【図４】底枠の斜視図を示す。
【図５】底枠内に配置される受け皿の斜視図を示す。
【図６】側面枠の斜視図を示す。
【図７】（Ａ）（Ｂ）は、図６の矢視ａ、ｂから見た右の側面枠の左側面図、（Ｃ）は、図６の矢視ｃから見た右の側面枠の平面図を示す。
【図８】背面枠の斜視図を示す。
【図９】前面枠の斜視図を示す。
【図１０】（Ａ）は支持筒に係止された前面枠の正面図、（Ｂ）は前面枠の変形例の正面図を示す。
【符号の説明】
【００７０】
１０      ダストボックス
１２      ごみ袋
１２'    ロール状のごみ袋
２０      底枠
２２      ごみ袋の支持面
２５−１  底枠の横枠体
２８      受け皿のための空間
２９      受け皿
３０      側面枠
３２ａ    側面枠の脚部
３２ａ１  後面の脚部
３２ａ２  前面の脚部
３２ｂ    側面枠の連結部
３５−１  後面の支持筒
３５−２  前面の支持筒
４０      背面枠
４２      背面枠中央の折曲げ部
４２ａ    折曲げ部の肩部（ごみ袋の係止部）  
４４      棚体
４６      突状部付枠体
５０      前面枠
５２      前面枠の枠体
５２ａ    前面枠（枠体）の上下の折曲端
５２ｂ    前面枠（枠体）の肩部（ごみ袋の係止部）
【図１】
2006062830.tif 000003
【図２】
2006062830.tif 000004
【図３】
2006062830.tif 000005
【図４】
2006062830.tif 000006
【図５】
2006062830.tif 000007
【図６】
2006062830.tif 000008
【図７】
2006062830.tif 000009
【図８】
2006062830.tif 000010
【図９】
2006062830.tif 000011
【図１０】
2006062830.tif 000012